(57)【要約】【課題】  本考案はカメラマンが脚立等を用いて、高所で撮影する危険をすることなく、高所にあるカメラを低所での遠隔操作を可能にすることである。【解決手段】  本考案は、デジタルカメラ及びカメラレンズにフォーカスリング及びズームリングを調整する機構を付け、それに３軸の回転機構、上下移動機構を組み合わせる。これら及びストロボはコントローラ及びパソコンに接続する。ファインダーには小型カメラが付いており、このファインダーの映像を見ながら、フォーカス、ズーム、カメラの角度・高さを調整する。また、パソコンにより、デジタルカメラのシャッタースピード、明るさ、色の調整をおこなうことができる。【選択図】図７
0003140690.tif 000002
【実用新案登録請求の範囲】
【請求項１】
カメラマンが脚立等を用いて、高所で撮影する危険をすることなく、高所にあるカメラを遠隔操作できるようにしたデジタルカメラ及び装置。
【考案の詳細な説明】
【技術分野】
【０００１】  本考案は、高所より遠隔操作可能な高画質なデジタルカメラに関するものである。
【背景技術】
【０００２】  集合写真等を撮影する際に、全体を写すために高所より撮影しなければならない。その際に高所よりの撮影には、脚立等にカメラマンが登って撮影しなければならない。しかしながら、カメラマンが落下する事故が多く、危険な作業であった。
【考案の開示】
【考案が解決しようとする課題】
【０００３】  このようなカメラマンに危険な撮影することなく、高所にあるカメラを低所での遠隔操作を可能にすることである。
【課題を解決するための手段】
【０００４】  本考案は、上記課題を克服するために、上下ステージ、ウインチなど上下移動できる器具に回転ステージ及びモータを複数台組合せ、その上にカメラを置き、カメラを上下・回転できるようにする。【０００５】  また、カメラのフォーカス調整及びピント合わせはフォーカスリング及びズームリングを小型モータにて回転して調整する。【０００６】  ファインダーに小型カメラを取り付ける。小型カメラの映像を見て、フォーカス、ズーム、カメラの角度及び高さを遠隔操作する。【０００７】  また、カメラのシャッタースピード、明るさの調整、色の調整及びオートフォーカスについてはカメラからの信号をパソコンによっておこなう。
【考案の効果】
【０００８】  上述のように、本考案の遠隔操作型デジタルカメラはカメラ移動・角度調整、フォーカス調整及びズーム調整を操作ボックスで遠隔操作できるようになる。【０００９】  なお、ピント合わせについてはオートフォーカス機能を用いる事もできる。【００１０】  それゆえに、カメラが高所にあるにもかかわらず、カメラマンが手元にカメラがあるかのように撮影ができる。【００１１】  そのためにカメラマンが落下事故のような事が起こらず、安全に撮影できるようになる。【００１２】  また、パソコンでデジタルカメラの明るさ、シャッター時間等撮影条件を調整できる。かつ、カメラから送られた写真は補正や加工も即座に対応できるようになるため、ユーザーの早く見たいといったニーズに応えることができる。
【考案を実施するための最良の形態】
【００１３】  一眼レフデジタルカメラにカメラレンズを取り付ける。そのカメラレンズのフォーカスリング及びズームリング個々に小型モータを取り付ける。この小型モータのコントローラーと接続して、操作ボックスで調整する。【００１４】  上述のカメラユニットを台に載せ、カメラをレンズの光軸中心を回転させるモータを取り付ける。それを回転ステージに取り付ける。更にこれらを上下にあおるようなモータを取り付ける。これらモータ及び回転ステージはコントローラと接続して、これら３軸を操作ボックスで調整する。ここでは３軸になっているが軸数は限定しない。【００１５】  上述のカメラ部及びストロボを上下移動ステージに取り付ける。この上下移動ステージによってカメラ部及びストロボを高所に持っていく。【００１６】  また、デジタルカメラのファインダー部には小型カメラが付いており、その映像をモニタもしくはパソコンに送ることができる。【００１７】  これら一体、コントローラ、操作ボックス、パソコン、モニタ、キーボード、マウス、及びストロボ電源を移動台に設置し、カメラ、モータ類、コントローラ、操作ボックス、パソコン類を接続する。【００１８】  ファインダーに写った小型カメラからの映像をモニタで確認しながら、ズーム、フォーカス、カメラ角度、高さ調整を操作ボックス及びパソコンで調整する。そのことによって、高所にあるカメラが手元にあるかのように撮影することができる。
【実施例】
【００１９】  以下、添付図面に従って実施例を説明する。
図１はカメラユニットの説明図です。カメラ１にカメラレンズ２を取り付ける。このカメラレンズ２のフォーカシング３にベルト６を巻き付けて、フォーカス調整モータ５ａで調整できるようにする。同様にズームリング４にベルト６を巻き付けて、ズーム調整モータ５ｂで調整できるようにする。【００２０】  図２及び図３はカメラ角度調整部の説明図です。カメラユニット７にカメラ回転用モータ８をレンズの光軸９の中心に合わせ、取り付ける。これを回転ステージ１０に固定する。これら一体化したものをカメラあおり用モータ１１に取り付ける。カメラ回転軸モータ８、回転ステージ１０、カメラあおりモータ１１の３軸を調整することによってカメラの角度を決めることができるようにする。【００２１】  また、カメラユニット７のファインダー部に小型カメラ１２を取り付ける。ファインダーの映像は小型カメラ１２より、パソコンもしくはモニタに送る。【００２２】  図４及び図５は前述のカメラユニット及びカメラ角度調整部（以下、カメラ部１３とする）とストロボ１４を上下移動ステージ１５に取り付けた状態です。上下移動ステージ１５によって、カメラ部１３及びストロボ１４を上下移動できるようにする。【００２３】  また、カメラカバー１５を付ける事によって、カメラ部１３を保護する。【００２４】  ここでのフォーカス調整モータ５ａ、ズーム調整モータ５ｂ、カメラ回転用モータ８、回転ステージ１０、カメラあおり用モータ１１及び上下移動ステージ１５はコントローラ１６によって制御し、操作ボックス１７もしくはパソコン１８にて操作できるようにする。【００２５】  図６は操作ボックスの概略図です。この操作ボックス１７の機能をパソコン１８に入れても構わない。また、操作ボックスの配置や名称は図６に限定しない。【００２６】  小型カメラ３からの画像をパソコン１８を介し、モニタ１９で見る。その映像を見ながら、ピント、フォーカス、ズーム、カメラ角度及び高さを遠隔操作によって調整する。【００２７】  また、モニタについてはパソコン１９を介さず、別のモニタに接続して写しても構わない。【００２８】  図７は装置全体の構成の説明図です。前述の上下移動ステージ１６にカメラ部１３及びストロボ１４を取り付けたもの、コントローラ１６、パソコン１８及びストロボ電源２０を移動台２１に載せる。移動台２１はキーボード、マウス及び操作ボックス１７を作業できるスペースがあるため、ここで前述のカメラの遠隔操作、撮影ができる。【００２９】  なお、カメラのシャッタースピード、明るさの調整、色の調整及びオートフォーカスについてはカメラからの信号をパソコン１９によって操作及び調整することができる。
【図面の簡単な説明】
【００３０】
【図１】本校案におけるカメラユニット部の説明図
【図２】本考案におけるカメラ角度調整部の側面図
【図３】本考案におけるカメラ角度調整部の正面図
【図４】本考案におけるカメラ部及びストロボを上下移動機構に取り付けた側面図
【図５】本校案におけるカメラ部及びストロボを上下移動機構に取り付けた正面図
【図６】本考案における操作ボックスの概略図
【図７】本考案における装置全体の側面図
【符号の説明】
【００３１】１      デジタルカメラ
２      カメラレンズ
３      フォーカスリング
４      ズームリング
５ａ    フォーカス調整用モータ
５ｂ    ズーム調整用モータ
６      ベルト
７      カメラユニット
８      カメラ回転用モータ
９      光軸
１０    回転ステージ
１１    カメラあおりモータ
１２    小型カメラ
１３    カメラ部
１４    ストロボ
１５    上下移動ステージ
１６    コントローラ
１７    操作ボックス
１８    パソコン
１９    モニタ
２０    ストロボ電源
２１    移動台
２２    ケーブルカバー
【図１】
0003140690.tif 000003
【図２】
0003140690.tif 000004
【図３】
0003140690.tif 000005
【図４】
0003140690.tif 000006
【図５】
0003140690.tif 000007
【図６】
0003140690.tif 000008
【図７】
0003140690.tif 000009
【手続補正書】
【提出日】平成19年10月25日(2007.10.25)
【手続補正１】
【補正対象書類名】実用新案登録請求の範囲
【補正対象項目名】全文
【補正方法】変更
【補正の内容】
【実用新案登録請求の範囲】
【請求項１】
デジタル一眼レフカメラレンズにフォーカスリング及びズームリングを小型モータによる調整機構、当該カメラ部に回転モータ、上下移動ステージを設けると共にファインダーに小型カメラを設け、コントローラー及びパソコンと接続する。このコントローラー及びパソコンにより当該カメラのフォーカス、ズーム、カメラの角度、高さ、シャッタースピード、明るさ、色の調整等の遠隔操作できるところを特徴としたデジタルカメラ装置。
【手続補正書】
【提出日】平成20年1月8日(2008.1.8)
【手続補正１】
【補正対象書類名】実用新案登録請求の範囲
【補正対象項目名】全文
【補正方法】変更
【補正の内容】
【実用新案登録請求の範囲】
【請求項１】
デジタル一眼レフカメラにおいて、
（１）フォーカスリングを小型モータで回して、ピント合わせをする、
（２）ズームリングを小型モータで回して、焦点距離の調整をおこない、
（３）デジタル一眼レフカメラに回転モータ、上下移動ステージを設ける、
以上をコントローラー及びパソコンと接続して、ピント合わせ、焦点距離の調整、カメラの角度、高さ、シャッタースピード、明るさ、色の調整等の遠隔操作できるデジタルカメラ装置